(57)【要約】【課題】  レンズユニットが未装着時に撮像装置内部への異物侵入を防ぐ遮断機構を備えた撮像装置を得る。【解決手段】  レンズユニットが着脱可能に装着されるレンズマウントと、レンズユニットを介して受光された被写体光に応じた画像信号を出力する撮像素子と、撮像素子が被写体光を取り込むためのシャッター（５）と、シャッターを動作させる駆動手段と、を備え、レンズマウントにレンズユニットが装着されているか否かを検知するセンサ（７）と、レンズマウントと撮像素子の間に配置され、レンズユニットの着脱に応じてレンズマウントの開口部を開放または閉鎖する遮断機構（４）と、駆動手段（２）により遮断機構を動作させる駆動源切換手段（３）と、を有してなる撮像装置による。【選択図】図１
2012145807.tif 000002
【特許請求の範囲】
【請求項１】
レンズユニットが着脱可能に装着されるレンズマウントと、
上記レンズユニットを介して受光された被写体光に応じた画像信号を出力する撮像素子と、上記撮像素子が上記被写体光を取り込むためのシャッターと、上記シャッターを動作させる駆動手段と、を備えた撮像装置であって、
上記レンズマウントに上記レンズユニットが装着されているか否かを検知するセンサと、
上記レンズマウントと上記撮像素子の間に配置され、上記レンズユニットの着脱に応じて上記レンズマウントの開口部を開放または閉鎖する遮断機構と、
上記駆動手段により上記遮断機構を動作させる駆動源切換手段と、
を有してなることを特徴とする撮像装置。
【請求項２】
上記レンズマウントに上記レンズユニットが装着されていることか否かを検知するセンサを備え、
上記駆動源切換手段は、上記センサが上記レンズユニットの装着を検知しないときに上記駆動手段により上記遮断機構を動作させることを特徴とする請求項１記載の撮像装置。
【請求項３】
上記遮断機構は、上記センサが上記レンズユニットの装着を検知しないときに、上記レンズマウントの開口部を閉鎖状態にすることを特徴とする請求項１記載の撮像装置。
【請求項４】
上記遮断機構は、上記センサが上記レンズユニットの装着を検知しないときに、上記レンズマウントと上記撮像素子の間を遮蔽することを特徴とする請求項１記載の撮像装置。
【請求項５】
上記センサは、上記レンズユニットの装着を電気的に検知することを特徴とする請求項１記載の撮像装置。
【請求項６】
上記遮断機構は、上記センサが上記レンズユニットの装着を検知していた状態から上記レンズユニットの装着を検知しなくなったときに、上記レンズマウントの開口部を閉鎖状態にすることを特徴とする請求項１記載の撮像装置。
【請求項７】
上記遮断機構は、上記センサが上記レンズユニットの装着を検知していない状態から、上記レンズユニットの装着を検知したときに動作をし、上記レンズマウントの開口部を開放状態にすることを特徴とする請求項１記載の撮像装置。
【請求項８】
撮像装置の電源ＯＦＦ操作がされたときに、上記遮断機構は、上記レンズマウントの開口部を閉鎖してから撮像装置の電源をオフにすることを特徴とする請求項１記載の撮像装置。
【請求項９】
上記遮断機構は、上記撮像素子が清掃時されるときに、上記レンズユニットが装着されていなくても上記レンズマウントの開口部を開放状態にすることを特徴とする請求項１記載の撮像装置。
【請求項１０】
上記駆動源切換手段は、上記駆動手段を、上記シャッターと上記遮断機構のいずれか一方に接続させることを特徴とする請求項１記載の撮像装置。
【請求項１１】
上記駆動源切換手段は、上記駆動手段の駆動力を、上記シャッターに伝達する状態と、上記遮断機構に伝達する状態のいずれかんい切り換える遊星ギア列からなることを特徴とする請求項１記載の撮像装置。
【請求項１２】
上記駆動源切換手段は、上記駆動手段の駆動力を、上記シャッターに伝達する状態と、上記遮断機構に伝達する状態のいずれかに切り換えるスイッチからなることを特徴とする請求項１記載の撮像装置。
【請求項１３】
上記スイッチはマグネットスイッチであることを特徴とする請求項１２記載の撮像装置。
【請求項１４】
上記駆動手段は電気モータであることを特徴とする請求項１記載の撮像装置。
【請求項１５】
レンズユニットが着脱可能に装着されるレンズマウントと、
上記レンズユニットを介して受光された被写体光に応じた画像信号を出力する撮像素子と、
上記撮像素子が上記被写体光を取り込むためのシャッターと、
上記シャッターを動作させる駆動手段と、
を備えたカメラであって、
上記レンズマウントと上記撮像素子の間に配置され、上記レンズユニットの着脱に応じて上記レンズマウントの開口部を開放または閉鎖する遮断機構と、
上記駆動手段により上記遮断機構を動作させる駆動源切換手段と、
を有してなることを特徴とするレンズ交換式カメラ。
【発明の詳細な説明】
【技術分野】
【０００１】
本発明は、交換式のレンズユニットを着脱自在に装着するマウントを備えた撮像装置であって、レンズユニットが装着されていないときに撮像装置内部にゴミなどの異物が侵入しないように、マウントの開口部と撮像装置内部とを遮断する遮断機構を備えた撮像装置に関するものである。
【背景技術】
【０００２】
レンズ交換式の撮像装置は、レンズユニットをマウントから取り外すと、マウントの開口部から撮像装置の内部が露出する。撮像装置内部には撮像素子などの精密部品が備わっているので、内部にゴミや埃などの異物が侵入すると故障の原因になり、また、撮像素子の受光面に埃などが付着すると、画像に付着物が写りこむ状態になり、画質への悪影響が生じる。
【０００３】
そこで、レンズユニットを取り外しているときに撮像素子が露出することを防ぐため、レンズユニットの着脱を検知するセンサと、センサの検出結果に応じて動作する遮蔽機構を備えた撮像装置が知られている（例えば特許文献１を参照）。
【０００４】
近年、撮像装置に対して高性能化と共に小型化の要望がある。そこで、特許文献１記載の撮像装置のような遮蔽機構を設けると、レンズ交換時の内部への異物混入を防止することはできるが、遮蔽機構を動作させる専用の動力源と、動力源からの動力を伝達して遮蔽機構を動作させる伝達機構（ギアボックスなど）が必要となる。これら専用の動力源と伝達機構によって、撮像装置の本体は大きくならざるを得ず、小型化の要望に応えられない、という課題があった
【０００５】
仮に、遮蔽機構の動力源を省いて、遮蔽機構を手動で動作させる場合、動力源のスペースを省略することはできるが、レンズの着脱や、撮像装置本体の電源オン・オフに関係なく遮蔽機構の操作ができてしまうので、不適切な開放が行われて、異物混入を効果的に防ぐことが困難になる、という課題があった。
【発明の概要】
【発明が解決しようとする課題】
【０００６】
本発明は上記の課題に鑑みてなされたものであって、交換式のレンズユニットを着脱自在に装着するマウントを備えた撮像装置であって、レンズ交換時にマウントの開口部を自動的に遮断する遮断機構を、シャッターの駆動源で動作させることで、遮断機構専用の駆動源を搭載することなく小型化しつつ、レンズ交換時の異物混入を効果的に防ぐことができる撮像装置を提供することを目的とする。
【課題を解決するための手段】
【０００７】
本発明は撮像装置に関するものであって、レンズユニットが着脱可能に装着されるレンズマウントと、レンズユニットを介して受光された被写体光に応じた画像信号を出力する撮像素子と、撮像素子が被写体光を取り込むためのシャッターと、シャッターを動作させる駆動手段と、を備えた撮像装置であって、レンズマウントにレンズユニットが装着されているか否かを検知するセンサと、レンズマウントと撮像素子の間に配置され、レンズユニットの着脱に応じてレンズマウントの開口部を開放または閉鎖する遮断機構と、駆動手段により遮断機構を動作させる駆動源切換手段と、を有してなることを最も主要な特徴とする。
【０００８】
また本発明は上記の撮像装置に関するものであって、レンズマウントにレンズユニットが装着されていることか否かを検知するセンサを備え、駆動源切換手段は、センサがレンズユニットの装着を検知しないときに駆動手段により遮断機構を動作させることを特徴とする。
【０００９】
また本発明は上記の撮像装置に関するものであって、遮断機構は、センサがレンズユニットの装着を検知しないときに、レンズマウントの開口部を閉鎖状態にすることを特徴とする。
【００１０】
また本発明は上記の撮像装置に関するものであって、遮断機構は、センサがレンズユニットの装着を検知しないときに、レンズマウントと撮像素子の間を遮蔽することを特徴とする。
【００１１】
また本発明は上記の撮像装置に関するものであって、センサは、レンズユニットの装着を電気的に検知することを特徴とする。
【００１２】
また本発明は上記の撮像装置に関するものであって、遮断機構は、センサがレンズユニットの装着を検知していた状態からレンズユニットの装着を検知しなくなったときに、レンズマウントの開口部を閉鎖状態にすることを特徴とする。
【００１３】
また本発明は上記の撮像装置に関するものであって、遮断機構は、センサがレンズユニットの装着を検知していない状態から、レンズユニットの装着を検知したときに動作をし、レンズマウントの開口部を開放状態にすることを特徴とする。
【００１４】
また本発明は上記の撮像装置に関するものであって、撮像装置の電源ＯＦＦ操作がされたときに、遮断機構は、レンズマウントの開口部を閉鎖してから撮像装置の電源をオフにすることを特徴とする。
【００１５】
また本発明は上記の撮像装置に関するものであって、遮断機構は、撮像素子が清掃時されるときに、レンズユニットが装着されていなくてもレンズマウントの開口部を開放状態にすることを特徴とする。
【００１６】
また本発明は上記の撮像装置に関するものであって、駆動源切換手段は、駆動手段を、シャッターと遮断機構のいずれか一方に接続させることを特徴とする。
【００１７】
また本発明は上記の撮像装置に関するものであって、駆動源切換手段は、駆動手段の駆動力を、シャッターに伝達する状態と、遮断機構に伝達する状態のいずれかんい切り換える遊星ギア列からなることを特徴とする。
【００１８】
また本発明は上記の撮像装置に関するものであって、駆動源切換手段は、駆動手段の駆動力を、シャッターに伝達する状態と、遮断機構に伝達する状態のいずれかに切り換えるスイッチからなることを特徴とする。
【００１９】
また本発明は上記の撮像装置に関するものであって、スイッチはマグネットスイッチであることを特徴とする。
【００２０】
また本発明は上記の撮像装置に関するものであって、駆動手段は電気モータであることを特徴とする。
【００２１】
また本発明は、レンズ交換式カメラに関するものであって、レンズユニットが着脱可能に装着されるレンズマウントと、レンズユニットを介して受光された被写体光に応じた画像信号を出力する撮像素子と、撮像素子が被写体光を取り込むためのシャッターと、シャッターを動作させる駆動手段と、を備え、レンズマウントと撮像素子の間に配置され、レンズユニットの着脱に応じてレンズマウントの開口部を開放または閉鎖する遮断機構と、駆動手段により遮断機構を動作させる駆動源切換手段と、を有してなることを特徴とする。
【発明の効果】
【００２２】
本発明によれば、レンズ交換式の撮像装置を小型化しつつ、レンズ交換時の異物混入を防ぐことができる。
【図面の簡単な説明】
【００２３】
【図１】本発明に係る撮像装置の例を示す機能ブロック図である。
【図２】上記撮像装置の内部構造の例を示す縦断面図である。
【図３】上記撮像装置の内部をレンズマウント側から見たときのシャッター部の動作例を示す模式図である。
【図４】上記撮像装置の内部をレンズマウント側からみたときのバリア部の動作例を示す模式図である。
【図５】上記撮像装置が備える駆動部、伝達部、切換部の例と各部の動作例を示す模式図である。
【図６】上記撮像装置が備える駆動部、伝達部、切換部の例と各部の動作例を示す模式図である。
【図７】上記撮像装置が備える駆動部、伝達部、切換部の別の例と各部の動作例を示す模式図である。
【図８】上記撮像装置が備える駆動部、伝達部、切換部の別の例と各部の動作例を示す模式図である。
【発明を実施するための形態】
【００２４】
以下、本発明に係る撮像装置の実施形態について図面を参照しながら説明する。図１は、本発明に係る撮像装置の例を示す機能ブロック図である。図１において、撮像装置１０は、ＣＰＵ１と、駆動部２と、伝達部３と、バリア部４と、シャッター部５と、切換部６と、レンズ着脱センサ７と、清掃モードスイッチ８と、電源スイッチ９と、を有してなる。
【００２５】
ＣＰＵ１は、撮像装置１０の全体の動作制御を行う。後述する各種の動作は、ＣＰＵ１が図示しない制御プログラムを実行し、撮像装置１０内の各機構の動作を制御することで実行されるものである。
【００２６】
駆動部２は、例えば電動モータであって、ＣＰＵ１によって回転動作と停止、および、回転方向が制御される。駆動部２の動作によって、伝達部３の動作が行われる。すなわち、駆動部２の回転方向に応じて伝達部３を構成するギアボックス内の各ギアの回転方向も決まる。
【００２７】
伝達部３は、駆動部２の動作（軸の回転）による運動エネルギーをバリア部４、または、シャッター部５に伝達する構造を有してなる。伝達部３は、例えば、遊星ギア列からなり、この遊星ギア列が駆動部２の回転動作部分に接して回転し、この回転運動を複数のギアを介して後段に配置されるバリア部４、または、シャッター部５に伝達する。
【００２８】
バリア部４は、撮像装置１０から図示しないレンズユニットが取り外されているときに、レンズユニットが装着されるマウントの開口部と撮像装置１０の内部を遮断するバリアと、このバリアの動作機構からなる。バリア部４は、駆動部２の運動エネルギーが伝達部３によって伝達されて動作する。バリア部４の構造については、後述する。
【００２９】
シャッター部５は、被写体光に応じた画像信号を撮像素子が出力するために必要な動作を行う機構であって、露光量に応じて所定の動作をするフォーカルプレーンシャッターと、フォーカルプレーンシャッターの動作機構からなる。図示しないシャッタースイッチが操作されると、ＣＰＵ１が「撮像動作指令」を発する。これを受けて駆動部２の運動エネルギーが伝達部３を介してシャッター部５に伝達されてシャッター部５が動作する。
【００３０】
フォーカルプレーンシャッターは、前幕と後幕の２つの薄幕からなり、いわゆるライブビュー表示動作時は、前幕が撮像素子の受光面の下端部に位置し、後幕が撮像素子の受光面の上端部に位置し、受光面を遮らない状態に留まっている。ＣＰＵ１からの撮像動作指令が発生られると、駆動部２の運動エネルギーが伝達部３を介してシャッター部５に伝達される。この運動エネルギーを受けて前幕が下から上に向けて上昇して受光面を覆う。この動作を「シャッターチャージ」という。その後、前幕が上から下に落ち、前幕が落ち始めた後、あらかじめ算出されている露光量に応じた時間差を設けて後幕が落下する。この前幕と後幕の落下の時間差だけ被写体光が受光面に受光される。この時間差によって露光量が確保される。後幕が下に落ち切った後は、撮像素子が画像信号を出力するまでの間、その状態を維持し、画像信号の出力が終わった後、駆動部２の運動エネルギーを受けて後幕が再度、撮像素子の上部に戻る。
【００３１】
切換部６は、ＣＰＵ１からの指令を受けて伝達部３の動作を切り替えて、駆動部２の運動エネルギーが伝達される先を、バリア部４、または、シャッター部５、に切り換える機構からなる。切換部６の詳細な構成については、後述する。
【００３２】
レンズ着脱センサ７は、交換式レンズが撮像装置１０に装着されているか否かを検出するセンサである。レンズ着脱センサ７は、例えば撮像装置１のレンズマウントに配置されるスイッチと、このスイッチの状態を検知するセンサからなる。
【００３３】
清掃モードスイッチ８は、撮像装置１０の内部を掃除するための「清掃モード」を選択するためのスイッチである。清掃モードスイッチ８を操作することで、清掃モードと通常モードの切り替えが行われる。
【００３４】
電源スイッチ９は、撮像装置１０の動作電源のオンとオフを切り替えるスイッチである。電源スイッチ９の操作によって、撮像装置１０の動作開始と終了が切り替えられる。
【００３５】
次に、本実施例にかかる撮像装置１０の動作について、詳細に説明する。撮像装置１０は、レンズユニットが取り外され、かつ、電源がオフになっているとき、バリア部４が有する後述するバリア幕によって、撮像装置１０の内部が露出されることなくマウントの開口部が遮断状態（閉鎖状態）になっている。このとき、伝達部３は切換部６によってバリア部４側を動作させる状態にある。例えば伝達手段３である遊星ギア列がバリア部４に係るバリア幕を開閉するカム部材を動作させるように連接した状態にある。このカムの位置はフォトインタラプター（ＰＩ：Ｐｈｏｔｏ  Ｉｎｔｅｒｒｕｐｔｅｒ）によって検知され、バリア幕が開いている状態であるか、閉じている状態であるかを検知することができる。このＰＩによって、後述するようにバリア幕を閉じた状態を維持する。上記の状態に撮像装置１０があるとき、電源スイッチ９が操作されて、電源がオンになっても、バリア幕は閉じたままとなる。
【００３６】
次に、撮像装置１０の電源がオンの状態で、撮像レンズが装着されたときの動作について説明をする。まず、電源がオンの状態で撮像レンズが装着されていないときバリア幕は閉じている。ここで、撮像レンズが取り付けられると、レンズ着脱センサ７がレンズ装着を検知して、ＣＰＵ１に伝える。ＣＰＵ１は、駆動部２を動作させ、伝達部３を介してバリア部４を動作させてバリア幕を開ける。次に、ＣＰＵ１は切換部６に対して伝達部３をシャッター部５側に切り換えるように指示する。
【００３７】
次に、撮像操作が行われたときの動作について説明をする。撮像操作とは、被写体を撮影する所定の操作をいい、例えば、シャッタースイッチを押下する操作である。撮像操作がおこなわれると、ＣＰＵ１は駆動部２を動作させ、伝達部３を介してシャッター部５を動作させる。シャッター部５の動作は上述したとおりである。
【００３８】
次に、電源オンの状態で撮像レンズが取り外されたときの動作について説明する。撮像レンズが取り外されると、レンズ着脱センサ７からＣＰＵ１にその旨が通知される。ＣＰＵ１は、切換部６に対して、伝達部３をシャッター部５側からバリア部４側に切換えるように指示をする。その後、ＣＰＵ１は駆動部２に動作指示を行い、伝達部３を介して駆動部２の運動エネルギーがバリア部４に伝達され、バリア幕が閉じられる。これによって、撮像装置１０の開口部（マウントの開口部）は遮断されて、撮像装置１０の内部、特に撮像素子が露出することを防ぐことができる。
【００３９】
次に、清掃モードスイッチ８が操作されたときの動作について説明をする。清掃モードスイッチ８が操作されたとき、伝達部３がバリア部４側にあれば、ＣＰＵ１は、そのまま駆動部２を動作させてバリア幕を開ける。伝達部３がバリア部４側になくシャッター部５側にあれば、ＣＰＵ１は切換部６に指示をして、伝達部３をバリア部４側に切り換えて、その後、駆動部２を動作させてバリア幕を開ける。再度、清掃モードスイッチ８が操作されたとき、ＣＰＵ１は駆動部２を動作させ、バリア幕を閉じる。
【００４０】
次に、電源スイッチ９が操作されて電源がオフにされたときの動作について説明をする。電源スイッチ９の操作によって電源がオフされたとき、ＣＰＵ１は、伝達部３がバリア部４側にあれば、駆動部２を動作させ、バリア幕を閉じてから電源をオフにする。ＣＰＵ１は、伝達部３がバリア部４側になければ、切換部６に対して指示をし、伝達部３をバリア部４側に切り換えて、その後、駆動部２を動作させ、バリア幕を閉じてから電源をオフにする。こうすることで、電源がオフのときにレンズユニットを取り外しても、バリア幕は常に閉じているので、撮像装置１０内部に異物が混入することを防ぐことができる。
【００４１】
次に、電源スイッチ９が操作されて、撮像装置１０の電源がオンになると、ＣＰＵ１はまず、レンズ着脱センサ７によって撮像レンズの装着状態を検出する。撮像レンズが装着されていれば、駆動部２に動作指示をし、伝達部３を介してバリア部４を動作させて、バリア幕を開ける。その後、ＣＰＵ１は切換部６に動作指示をし、伝達部３をバリア部４側からシャッター部５側に切換える。
【００４２】
次に、撮像レンズが取り外された状態で、かつ、電源がオフの状態において、清掃モードスイッチ８が操作されて清掃モードで動作するときの例を説明する。まず清掃モードスイッチ８の操作によって、電源がオンになる。次に、駆動部２を動作させてバリア幕を開ける。再度、清掃モードスイッチ８が操作されたとき、バリア幕を閉じたあとに、電源をオフにする。
【００４３】
次に、図２を用いて撮像装置１０の内部構造の例を説明する。図２は撮像装置１０をレンズの光軸方向で切断した縦断面図である。図２において、撮像装置１０に装着されるレンズユニット２０と、レンズユニット２０が装着されるレンズマウント７１と、撮像素子１１と、バリア部４を構成するバリア幕４１と、シャッター部５を構成するシャッター幕５１と、駆動部２を構成する駆動モータ２１と、伝達部３の例を図示している。図示しないが、レンズマウント７１のレンズ装着面にレンズ着脱センサ７を設けられている。
【００４４】
図２において、バリア幕４１はレンズマウント７１の背面側（レンズユニット２０が装着される側とは反対側）に設置されており、伝達部３に連接している。また、シャッター幕５１は、撮像素子１１の前面側に設置されており、伝達部３に連接している。図２に示すように、撮像装置１０は、駆動部２を共通に用いてバリア部４とシャッター部５を動作させることができるので、バリア部４とシャッター部５それぞれに専用の駆動源を搭載する必要がなく、撮像装置１０の小型化を図ることができる。
【００４５】
ここで、シャッター部５の動作について図３を用いて説明する。図３は、レンズマウント７１側から撮像装置１０の内部を見たときのシャッター部５の動作例を示す模式図である。図３において、シャッター部５は、撮像素子１１の前面に配置される前幕５１ａ、後幕５１ｂからなるシャッター幕５１と、シャッター幕５１を、それぞれ所定の位置に移動させるチャージ機構５２と、シャッター幕５１を所定の位置で維持するマグネット駆動部５３と、を有してなる。チャージ機構５２には、前幕５１ａと後幕５１をそれぞれチャージする方向と反対の方向に付勢するバネ部材が含まれる。
【００４６】
図３（ａ）は、ライブビュー動作状態の例を示している。前幕５１ａは撮像素子１１の下端部付近にあり、後幕５１ｂは撮像素子１１の上端部付近にある。これによって撮像素子１１の受光面には図示しないレンズユニットを介して被写体光が結像し、所定のタイミングをもって被写体画像が図示しない画像表示部に表示され続ける。
【００４７】
図３（ａ）の状態にあるときシャッター幕５１のうち、後幕５１ｂはチャージ機構５２によって上端部に押し上げられている。後幕５１ｂは図示しないバネ部材によって下方向に付勢されているが、マグネット駆動部５３によって上端部位置で留められている。
【００４８】
図３（ａ）の状態から、シャッターボタンが操作されて撮像処理が行われると、図３（ｂ）に示すように前幕５１ａが下から上に向けてチャージ機構５２によって移動する。前幕５１ａも下方向にバネ部材によって付勢されているので、前幕５１ａが撮像素子１１の受光面を覆う状態まで移動したとき、マグネット駆動部５３によって、上部で留められる。
【００４９】
その後、図３（ｃ）に示すように、まず、前幕５１ａを留めているマグネット駆動部５３の図示しないマグネットがオフにされ、前幕５１ａがバネ部材の付勢によって落下する。その後、あらかじめ規定されている露光時間に相当する隙間を形成するように、時間をずらして、後幕５１ｂを留めているマグネット駆動部５３のマグネットがオフにされる。後幕５１ｂが落ち切った状態は、撮像素子１１から画像信号が出力されて所定の画像処理が行われるまで、維持される。その後、後幕５１ｂは撮像素子１１の上端部に移動して撮像素子１１が受光できる状態（図３（ａ））に戻る。この一連の動作におけるチャージ機構５２が駆動部２、伝達部３によって構成される。シャッター幕５１がどのような状態にあるかは、ＰＩによって検知される。
【００５０】
次に、バリア部４の動作例について図４を用いて説明する。図４は、レンズマウント７１側から撮像装置１０の内部を見たときのバリア部４の動作例を示す模式図である。図４において、バリア部４は、バリア幕４１と、バリア幕４１を所定の位置に移動させるチャージ機構４２と、を有してなる。図４（ａ）は、遮断機構であるバリア幕４１を開けた状態の例を示している。図４（ａ）において、バリア幕４１は、チャージ機構４２によって、撮像素子１１の受光面を隠さない位置に留められている。チャージ機構４２には、バリア幕４１をチャージ方向と反対方向に付勢するバネ部材が含まれているので、バリア幕４１はチャージ機構４２の上方向の駆動によって、所定の位置で留まるが、チャージ機構４２の駆動力がなくなると、バネ部材によって、図４（ｂ）に示すように、撮像素子１１の受光面を覆う状態になる。バリア幕４１が、開いているのか閉じているのかはＰＩによって検知される。
【００５１】
次に、駆動部２、伝達部３、切換部６の動作例について図５と図６を用いて説明する。図５は、切換部６によって、伝達部３を介して駆動部２の駆動力がシャッター部５に伝達される状態の例である。図６は、切換部６によって、伝達部３を介して駆動部２の駆動力がバリア部４に伝達される状態の例である。
【００５２】
図５（ａ）は、駆動部２、伝達部３、切換部６を駆動部の回転軸と直交する方向からみた例をしめす模式図である。図５（ｂ）は、駆動部２、伝達部３、切換部６を駆動部の回転軸からみた例を示す模式図である。図５（ａ）において、駆動部２を構成するモータ２１の回転軸にはギア１００が取り付けられている。ギア１００の回転を受けて回転するギア１０２と、ギア１０２の回転を受けて回転するギア１０３とは、回転方向は逆になる。ギア１０３には、棒状の連結部材１０１を介してギア１０４が連結している。ギア１０４の回転方向は、ギア１０３の回転方向とは逆方向になる。連結部材１０１の一端はギア１０３に固定されていて、連結部材１０１の他端はギア１０４に固定されている。
【００５３】
図５（ｂ）に示すように、ギア１００が時計方向に回転すると、ギア１０２は反時計方向に回転する。ギア１０２の回転を受けて回転するギア１０３は時計方向に回転する。ギア１０３とギア１０４は連結部材１０１によってたがいの回転中心が連結しており、また、ギア１０３の回転を受けてギア１０４は回転するようにギア同士が接しているので、ギア１０３が時計方向に回転すると、連結部材１０１のギア１０３との固定側（連結部材１０１の一端側）を中心に、ギア１０４との固定側（連結部材１０１の他端側）が回転する。この連結部材１０１の回転に合わせて、連結部材１０１の他端側に固定されているギア１０４は、連結部材１０１とギア１０３とが固定されている固定点を中心に、回転する。このように、ギア１０４は、ギア１０３の回転に伴ってギア１０４の回転軸を中心にギア１０４自身が回転すると共に、ギア１０３の回転に伴う連結部材１０１の回転に伴ってギア１０３の周囲を回転可能に構成されている。
【００５４】
ギア１０５とギア１０６とは、シャッター部５の一部を構成する。ギア１０５は、ギア１０４がギア１０３の周囲を回転したときにギア１０４と連接する位置に位置決めされ、ギア１０４自身の回転を受けて、ギア１０５の回転軸を中心にギア１０４自身の回転方向と逆方向に回転可能に構成されている。また、ギア１０６は、ギア１０５の回転を受けて、ギア１０５の回転方向と逆方向に回転可能に構成されている。図５において、ギア１００とギア１０３は時計回り（紙面右回り）に回転していて、その結果、ギア１０４はギア１０３の周囲を時計回りに回転してギア１０５と連接している状態を示している。ここで、ギア１０５とギア１０６とは、図示しないチャージ機構５２に連接している。したがって、ギア１０４とギア１０５とが連接しているとき、シャッター部５が動作する状態となる。
【００５５】
一方、図６に示すギア１０７とギア１０８とは、バリア部４を構成する図示しないチャージ機構４２に連接している。図６（ａ）において、ギア１００は反時計方向に回転している。そうすると、ギア１０３も反時計方向に回転することになる。その結果、図６（ｂ）に示すように、ギア１０４はギア１０３の周囲を反時計回りに回転してギア１０７と連接している状態を示している。このとき、ギア１０７は、ギア１０４の回転方向と逆方向の反時計回りに回転し、ギア１０７に連接しているギア１０８は、ギア１０７の回転方向とは逆方向の時計回りに回転する。このように、ギア１０４とギア１０７とが連接しているとき、バリア部４が動作する状態となる。
【００５６】
このように、ギア１０５とギア１０７は、ギア１０４がギア１０３の周囲を回転したときに、連接可能な位置に位置決め固定されている。ギア１０４が、ギア１０５とギア１０７のいずれと連接するかは、ギア１０３の周囲を回転するギア１０４の回転方向、つまり、ギア１０３の回転方向を決するモータ２１の回転方向によって決まる。したがって、撮像装置１０は、モータ２１の回転方向を制御することにより、ギア１０４をギア１０５またはギア１０７のいずれかに連接させるように制御することができる。すなわち、撮像装置１０は、モータ２１の回転方向を制御することで、バリア部４またはシャッター部５のいずれを動作させるかを制御することができる。
【００５７】
すなわち、伝達部３は、駆動部２であるモータ２１の回転軸に取り付けられているギア１００と、ギア１００に連接していてモータ２１の回転（運動エネルギー）を伝達する遊星ギア列であるギア１０２、ギア１０３、ギア１０４により構成されている。
【００５８】
また、切換部６は、モータ２１の回転を制御するＣＰＵ１と、モータ２１と、ギア１００と、遊星ギア列であるギア１０２、ギア１０３、ギア１０４と、連結部材１０１により構成されている。
【００５９】
以上説明した実施形態によれば、レンズが装着されていないときに異物が撮像装置１０内に混入することを防止するバリア部４を動作させる動作機構と、撮像するためのシャッター部５を動作させる動作機構とを共通化することができる。その結果、バリア部４とシャッター部５のそれぞれに専用の動作機構を設ける必要がなくなり、撮像装置１０の小型化を図りつつ、レンズ交換時の異物混入を防ぐことができる。
【００６０】
次に、本発明にかかる撮像装置の別の実施形態について、先に説明した実施形態と異なる部分を中心に説明をする。本実施形態では、伝達部と切換部とをマグネットスイッチで構成した点において、先に説明した実施形態と異なる。図７は、本実施形態に係る撮像装置１０が備える切換部と伝達部の例を示す図である。図７において、駆動部２を構成するモータ２１の回転軸には、ギア１００が取り付けられている。ギア１００に連接して回転するギア１０２ａには、ギア１０３ａとギア１０３ｂとが連接している。モータ２１が回転すると、ギア１０３ａとギア１０３ｂとは、同じ方向に回転する。
【００６１】
切換部を構成するマグネットスイッチ６１は、ＣＰＵ１の動作指示により、棒状のアーム１０１ａを移動させる。アーム１０１ａの一端はマグネットスイッチ６１に固定され、アーム１０１ａの他端はギア１０４ａに固定されている。アーム１０１ａは、マグネットスイッチ６１との固定点を中心に、この固定点の周囲をギア１０４ａが回転するように移動する。ここで、アーム１０１ａの移動は、マグネットスイッチ６１のオン・オフにより実現される。図７は、マグネットスイッチ６１がオフのときに、ギア１０４ａがギア１０５と連接する位置に移動した状態を示している。ギア１０５は、シャッター部５に連接しているので、マグネットスイッチ６１がオフのときには、シャッター部５が動作する。
【００６２】
一方、図８は、マグネットスイッチ６１がオンのときに、ギア１０４ａがギア１０３ｂとギア１０６の双方と連接する位置に移動した状態を示している。ここで、ギア１０７は、バリア部４に連接しているので、マグネットスイッチ６１がオンのときには、バリア部４が動作する。
【００６３】
このように、伝達部は、駆動部２であるモータ２１の回転軸に取り付けられているギア１００に連接していて、モータ２１の回転（運動エネルギー）を伝達する遊星ギア列であるギア１０２ａ、ギア１０３ａ、ギア１０３ｂ、ギア１０４ａで構成されている。また、切換部は、マグネットスイッチ６１、アーム１０１ａ、ギア１０４ａで構成されている。
【００６４】
以上説明した実施形態によれば、レンズが装着されていないときに異物が撮像装置１０内に混入することを防止するバリア部４を動作させる動作機構と、撮像するためのシャッター部５を動作させる動作機構とを共通化することができる。その結果、バリア部４とシャッター部５のそれぞれに専用の動作機構を設ける必要がないため、撮像装置１０の小型化を図りつつ、レンズ交換時の異物混入を防ぐことができる。
【００６５】
以上のように、本発明に係る撮像装置によれば、レンズを装着していないときに、異物が内部に混入することを防止するための遮断幕を動作させる機構を、シャッターの動作機構と共用することができ、これによって、専用の動作機構を設けた際に必要となるスペースを省略することができ、撮像装置の小型化を図ることができる。
【符号の説明】
【００６６】
１  ＣＰＵ
２  駆動部
３  伝達部
４  バリア部
５  シャッター部
６  切換部
７  レンズ着脱センサ
８  清掃モードスイッチ
９  電源スイッチ
【先行技術文献】
【特許文献】
【００６７】
【特許文献１】特開２００７−１８３４８３号公報
【図１】
2012145807.tif 000003
【図２】
2012145807.tif 000004
【図３】
2012145807.tif 000005
【図４】
2012145807.tif 000006
【図５】
2012145807.tif 000007
【図６】
2012145807.tif 000008
【図７】
2012145807.tif 000009
【図８】
2012145807.tif 000010